(57)【特許請求の範囲】
【請求項１】
利用者による取引画面上での入力操作がなされた際に、該入力操作に応答する取引処理を行う自動取引装置において、
文字データ等の小さいデータサイズの第１のデータと画像データ，動画データ等の大きいデータサイズの第２のデータとに区分された前記取引画面の取引画面データについて、前記第１のデータを取引時に、前記第２のデータを取引時以外の所定のタイミングで、所定の通信回線を介して取得する取得手段と、
前記取得手段によって取得された取引画面データを記憶する記憶手段と、
を備えることを特徴とする自動取引装置。
【請求項２】
利用者による取引画面上での入力操作がなされた際に、該入力操作に応答する取引処理を行う自動取引装置において、
変更頻度の高い第１のデータと変更頻度の低い第２のデータとに区分された前記取引画面の取引画面データについて、前記第１のデータを取引時に、前記第２のデータを取引時以外の所定のタイミングで、所定の通信回線を介して取得する取得手段と、
前記取得手段によって取得された取引画面データを記憶する記憶手段と、
を備えることを特徴とする自動取引装置。
【請求項３】
前記取得手段は、前記取引画面データの全部または一部を取引時以外の所定のタイミングで取得することを特徴とする請求項１または２に記載の自動取引装置。
【請求項４】
前記取引画面データはＨＴＭＬで記述されており、
さらに、前記ＨＴＭＬで記述された取引画面データによって取引画面を表示するＨＴＭＬ画面表示手段を具備することを特徴とする請求項１、２または３に記載の自動取引装置。
【請求項５】
前記取得手段は、インターネットを介して前記取引画面データを取得することを特徴とする請求項１〜４のいずれか一つに記載の自動取引装置。
【請求項６】
利用者による取引画面上での入力操作がなされた際に、該入力操作に応答する取引処理を行う複数の自動取引装置とサーバ装置とを通信接続した自動取引装置システムであって、
前記サーバ装置は、
前記自動取引装置の取引画面データを、自動取引装置システム外から所定の通信回線を介して取得するサーバ取得手段と、
前記サーバ取得手段によって取得された取引画面データを前記複数の自動取引装置に送信する送信手段と、
を備え、
前記自動取引装置は、
文字データ等の小さいデータサイズの第１のデータと画像データ，動画データ等の大きいデータサイズの第２のデータとに区分された前記取引画面の前記取引画面データについて、前記第１のデータを取引時に、前記第２のデータを取引時以外の所定のタイミングで、所定の通信回線を介して取得する取得手段と、
前記取得手段によって取得された取引画面データを記憶する記憶手段と、
を備えることを特徴とする自動取引装置システム。
【請求項７】
利用者による取引画面上での入力操作がなされた際に、該入力操作に応答する取引処理を行う複数の自動取引装置とサーバ装置とを通信接続した自動取引装置システムであって、
前記サーバ装置は、
前記自動取引装置の取引画面データを、自動取引装置システム外から所定の通信回線を介して取得するサーバ取得手段と、
前記サーバ取得手段によって取得された取引画面データを前記複数の自動取引装置に送信する送信手段と、
を備え、
前記自動取引装置は、
変更頻度の高い第１のデータと変更頻度の低い第２のデータとに区分された前記取引画面の前記取引画面データについて、前記第１のデータを取引時に、前記第２のデータを取引時以外の所定のタイミングで、所定の通信回線を介して取得する取得手段と、
前記取得手段によって取得された取引画面データを記憶する記憶手段と、
を備えることを特徴とする自動取引装置システム。
【発明の詳細な説明】
【０００１】
【発明の属する技術分野】
本発明は、銀行や信販会社のＡＴＭ（Automatic Teller Machine）やＣＤ（Cash Dispenser）等の自動取引装置（自動機）、複数の自動取引装置やサーバ装置を通信接続した自動取引装置システム、および、現金取引，送金，残高照会，電子商取引，ホテル等の予約，映画等の無料チケットの提供，各種情報提供，宣伝広告等の取引時に自動取引装置が表示する画面のデータである取引画面データを更新（取引画面を更新）するための取引画面データ更新プログラムを記録したコンピュータ読み取り可能な記録媒体、並びに取引画面データ更新プログラムに関する。
【０００２】
銀行や信販会社では、窓口業務軽減のため、現金取引，送金，残高照会等の取引を自動的に行う自動取引装置（自動機）の導入が進められている。しかしながら、従来の自動取引装置では、取引時に固定的な取引画面の表示のみが行われ、また、取引画面を更新する場合には、多大な時間，労力，費用がかかるという問題点があり、かかる問題を効果的に解決する手段，方法が切望されている。
【０００３】
【従来の技術】
従来の自動取引装置として、たとえば、ＣＤ−ＲＯＭドライブとハードディスクとを備えたものがある。この自動取引装置では、自動取引装置設置時に、ＣＤ−ＲＯＭドライブによってＣＤ−ＲＯＭから各種プログラム，データおよび取引画面データを読み取り、これらをハードディスクにインストールしている。自動取引装置が稼働を開始した後は、取引画面データは固定される。そして、固定された取引画面データによって、常に決まった取引画面が表示される。取引画面データを更新する場合は、保守員が自動取引装置１台１台をまわってＣＤ−ＲＯＭから取引画面データをインストールしている。
【０００４】
【発明が解決しようとする課題】
しかしながら、上記従来の技術によれば、取引画面データを更新する場合、取引画面データを可搬の記録媒体（ＣＤ−ＲＯＭ等）から入力しなければならず、可搬の記録媒体を用意し、保守員が自動取引装置１台１台をまわってインストールしなければならないため、取引画面データの更新が迅速またはリアルタイムに行えず、適切な取引画面の表示が行えず、手間がかかり、コストが上昇するという問題点があった。また、取引画面データの更新が迅速またはリアルタイムに行えず、手間がかかり、コストが上昇することから、頻繁に更新することが難しく、取引画面が固定化し、また、自動取引装置が設置されている場所（銀行の支店等）や顧客に応じた木目細かい表示を行うことが難しいという不具合があった。
【０００５】
本発明は、上記問題点に鑑みてなされたものであって、適切な取引画面の表示を行い、手間をはぶき、コストを低減することができる自動取引装置、自動取引装置システムおよび取引画面データ更新プログラムを記録したコンピュータ読み取り可能な記録媒体、並びに取引画面データ更新プログラムを提供することを目的とする。
【０００６】
【課題を解決するための手段】
上記目的を達成するために、本発明の自動取引装置（自動機１０１）は、取引時に表示する画面のデータである取引画面データを所定の通信回線を介して取得する取得手段（取引画面データ取得部３０１）と、前記取得手段によって取得された取引画面データを記憶する記憶手段（記憶部３０２）と、を具備する。ここで、自動取引装置とは、銀行や信販会社のＡＴＭ（Automatic Teller Machine）やＣＤ（Cash Dispenser）等の、ユーザ（顧客）との対話を行って自動取引を行ういわゆる自動機をいう。また、取引とは、現金取引，送金，残高照会，電子商取引，ホテル等の予約，映画等の無料チケットの提供，各種情報提供，宣伝広告等を含むものである。
【０００７】
また、通信回線とは、専用回線および公衆回線を含むものである。通信プロトコルは特に限定されず、たとえばＴＣＰ／ＩＰ等のものである。取引画面データの送信元は、顧客の口座情報等のユーザ情報を保持する取引用ホストであってもよいし、Ｗｅｂサーバであってもよいし、ＬＡＮ（Local Area Network）内のサーバであってもよい（自動取引装置がＬＡＮ接続されている場合）。また、記憶手段は、書き込み可能なものであれば特に限定されず、たとえばＲＡＭ，ハードディスク等のものである。
【０００８】
この自動取引装置によれば、取得手段が、通信回線を介して取引画面データを取得し、記憶手段が、取得手段によって取得された取引画面データを記憶する。これにより、取引画面データの更新を、通信回線を介して迅速またはリアルタイムに行うことができ、また、更新のたびに毎回、可搬の記録媒体を用意し、保守員が自動取引装置１台１台をまわってインストールする必要がないため、適切な取引画面の表示を行い、手間をはぶき、コストを低減することができる。
【０００９】
ここで、取得手段が、取引画面データの全部または一部を取引時以外の所定のタイミングで取得するようにしてもよい。これにより、取引時に取引画面データの全部または一部のインストールを省略することができるため、取引時の処理時間を短縮することができ、スムーズな取引処理を実現することができる。
【００１０】
また、取引画面データが、文字データ等の小さいデータサイズの第１のデータ（文字情報）と画像データ，動画データ等の大きいデータサイズの第２のデータ（画面コンテンツ）とに区分されており、取得手段が、第１のデータを取引時に取得し、第２のデータを取引時以外の所定のタイミングで取得するようにしてもよい。これにより、インストールに時間のかからない第１のデータについては、最新のものを用いつつ、インストールに時間のかかる第２のデータについては、予めインストールしておいて、スムーズな取引処理を実現することができる。
【００１１】
また、取引画面データが、変更頻度の高い第１のデータ（変動情報）と変更頻度の低い第２のデータ（固定情報）とに区分されており、取得手段が、第１のデータを取引時に取得し、第２のデータを取引時以外の所定のタイミングで取得するようにしてもよい。これにより、第１のデータについては最新のものを用いつつ、第２のデータについては、予めインストールしておいて、スムーズな取引処理を実現することができる。
【００１２】
また、取引画面データをＨＴＭＬ（Hyper Text Markup Language）で記述し、さらに、ＨＴＭＬで記述された取引画面データによって取引画面を表示するＨＴＭＬ画面表示手段（ＨＴＭＬ画面表示部３０４）を設けるようにしてもよい。これにより、自動取引装置の機種や取引画面データ作成用装置の機種に関わらず、多機能で使い勝手のよい汎用のＨＴＭＬ作成ツールで取引画面データを作成することができ、取引画面データの作成を容易化し、コストを低減することができる。また、取得手段が、インターネットを介して取引画面データを取得するようにしてもよい。これにより、インターネットに接続可能なサーバ装置があればどこからでも取引画面のメンテナンス（取引画面データの設定，更新）を行うことができ、取引画面のメンテナンスが容易となる。
【００１３】
また、本発明の自動取引装置システムは、サーバ装置（ＬＡＮサーバ４０２）と複数の自動取引装置（自動機４０４）とを通信接続した自動取引装置システムであって、前記サーバ装置は、前記自動取引装置の取引画面データを、自動取引装置システム外から所定の通信回線を介して取得するサーバ取得手段（サーバ取引画面データ取得部７０１）と、前記サーバ取得手段によって取得された取引画面データを前記複数の自動取引装置に送信する送信手段（取引画面データ送信部７０３）と、を有し、前記自動取引装置は、前記送信手段からの取引画面データを取得する取得手段（取引画面データ取得部８０１）と、前記取得手段によって取得された取引画面データを記憶する記憶手段（記憶部３０２）と、を有することを特徴とする。
【００１４】
ここで、自動取引装置とは、銀行や信販会社のＡＴＭやＣＤ等の、ユーザ（顧客）との対話を行って自動取引を行ういわゆる自動機をいう。また、取引とは、現金取引，送金，残高照会，電子商取引，ホテル等の予約，映画等の無料チケットの提供，各種情報提供，宣伝広告等を含むものである。また、通信回線とは、専用回線および公衆回線を含むものである。取引画面データの送信元は、顧客の口座情報等のユーザ情報を保持する取引用ホストであってもよいし、Ｗｅｂサーバであってもよい。サーバ装置と取引画面データ送信元との通信やサーバ装置と自動取引装置との通信における通信プロトコルは特に限定されず、たとえばＴＣＰ／ＩＰ等のものである。また、記憶手段は、書き込み可能なものであれば特に限定されず、たとえばＲＡＭ，ハードディスク等のものである。
【００１５】
この自動取引装置システムによれば、サーバ装置のサーバ取得手段が、通信回線を介して取引画面データを取得し、送信手段が、サーバ取得手段によって取得された取引画面データを複数の自動取引装置に送信し、自動取引装置の取得手段が、送信手段からの取引画面データを取得し、記憶手段が、取得手段によって取得された取引画面データを記憶する。これにより、取引画面データの更新を、通信回線を介して迅速またはリアルタイムに行うことができ、また、更新のたびに毎回、可搬の記録媒体を用意し、保守員が自動取引装置１台１台をまわってインストールする必要がないため、適切な取引画面の表示を行い、手間をはぶき、コストを低減することができる。
【００１６】
また、本発明の取引画面データ更新プログラムを記録したコンピュータ読み取り可能な記録媒体は、自動取引装置の取引画面データを更新するための取引画面データ更新プログラムを記録したコンピュータ読み取り可能な記録媒体であって、前記取引画面データを所定の通信回線を介して取得する取得工程と、前記取得工程で取得された取引画面データによって、自動取引装置に記憶された取引画面データを更新する更新工程と、をコンピュータに実行させるための取引画面データ更新プログラムを記録したものである。
【００１７】
また、自動取引装置の取引画面データを更新するための取引画面データ更新プログラムを記録したコンピュータ読み取り可能な記録媒体において、前記取引画面データを所定の通信回線を介して取得するサーバ取得工程と、前記サーバ取得工程で取得された取引画面データを複数の自動取引装置に送信する送信工程と、前記送信工程で送信された取引画面データを取得する取得工程と、前記取得工程で取得された取引画面データによって、自動取引装置に記憶された取引画面データを更新する更新工程と、をコンピュータに実行させるための取引画面データ更新プログラムを記録するようにしてもよい。
【００１８】
ここで、「コンピュータ読み取り可能な記録媒体」とは、フロッピーディスク等の磁気ディスク、ＲＯＭ，ＥＰＲＯＭ，ＥＥＰＲＯＭ，フラッシュＲＯＭ等の半導体メモリ（カートリッジ，ＰＣカード等に内蔵されているものを含む）、ＣＤ−ＲＯＭ，ＤＶＤ等の光ディスク、ＭＯ等の光磁気ディスク、等の「可搬の物理媒体」や、各種コンピュータシステムに内蔵されるＲＯＭ，ＲＡＭ，ハードディスク等の「固定用の物理媒体」を含むものである。
【００１９】
さらに、「コンピュータ読み取り可能な記録媒体」には、ＬＡＮ，ＷＡＮ，インターネット等のネットワークを介してプログラムを送信する場合の通信回線のように、プログラムを短期間保持する通信媒体を含めてもよい。また、「プログラム」とは、データ処理方法を記述したものであって、記述する言語や記述方法は特に限定されず、ソースコード，バイナリコード，実行形式等の形式を問わない。なお、「プログラム」は必ずしも単一に構成されるものに限られず、複数のモジュールやライブラリとして分散構成されるものや、ＯＳ等の別個のプログラムと協働してその機能を達成するものを含む。
【００２０】
また、本発明の取引画面データ更新プログラムは、自動取引装置の取引画面データを更新するための取引画面データ更新プログラムであって、前記取引画面データを所定の通信回線を介して取得する取得手順と、前記取得手順で取得された取引画面データによって、自動取引装置に記憶された取引画面データを更新する更新手順と、をコンピュータに実行させるための取引画面データ更新プログラムである。
【００２１】
また、自動取引装置の取引画面データを更新するための取引画面データ更新プログラムにおいて、前記取引画面データを所定の通信回線を介して取得するサーバ取得手順と、前記サーバ取得手順で取得された取引画面データを複数の自動取引装置に送信する送信手順と、前記送信手順で送信された取引画面データを取得する取得手順と、前記取得手順で取得された取引画面データによって、自動取引装置に記憶された取引画面データを更新する更新手順と、をコンピュータに実行させるための取引画面データ更新プログラムであってもよい。
【００２２】
【発明の実施の形態】
以下、図面を参照して本発明にかかる自動取引装置、自動取引装置システムおよび取引画面データ更新プログラムを記録したコンピュータ読み取り可能な記録媒体、並びに取引画面データ更新プログラムの実施の形態１および実施の形態２について説明する。なお、これらの実施の形態によって、本発明が限定されるものではない。
【００２３】
（実施の形態１）
図１は、本発明の実施の形態１にかかる取引システムの概略構成を示す図である。この取引システムは、少なくとも一つの自動機１０１と、ユーザ（顧客）の口座情報等を保持し、取引において専用回線または公衆回線を介して自動機１０１との通信を行う取引用ホスト（メインフレーム）１０２と、取引画面データ更新時に専用回線または公衆回線を介して取引画面データを自動機１０１に送信するＷｅｂサーバ１０３と、を備えている。取引用ホスト１０２は、取引時に自動機１０１との通信を行う他、定期的または任意のタイミングで、自動機１０１からの要求または取引用ホスト１０２の要求によって取引画面データを自動機１０１に送信することもできる。
【００２４】
Ｗｅｂサーバ１０３は、定期的または任意のタイミングで、自動機１０１からの要求またはＷｅｂサーバ１０３の要求によって取引画面データを自動機１０１に送信する。また、Ｗｅｂサーバ１０３は、取引時に自動機１０１との通信を行って自動機１０１と協働して取引を制御するようにしてもよい。自動機１０１は、専用回線または公衆回線を介し、Ｗｅｂサーバ１０３からの取引画面データを受信する。自動機１０１とＷｅｂサーバ１０３との通信は、ダイアルアップによってリモートアクセスして行うようにしてもよいし、インターネットを経由するものであってもよいし、ＬＡＮ（Local Area Network）内のものであってもよい。さらに、Ｗｅｂサーバ１０３から自動機１０１にプログラムを送信するようにしてもよい。
【００２５】
図２は、図１に示した自動機１０１の概略ハードウェア構成を示す図である。自動機１０１は、ブートプログラム等を記憶するＲＯＭ（Read Only Memory）２０１と、自動機１０１各部を制御する制御プログラム，取引画面データ等を記憶するハードディスク（ＨＤＤ）２０２と、ＲＯＭ２０１，ＨＤＤ２０２に記憶されたプログラムに基づいて自動機１０１各部を制御するＣＰＵ（Central Processing Unit）２０３と、ＣＰＵ２０３の作業領域等として用いられるＲＡＭ（Random Access Memory）２０４と、ＣＤ−ＲＯＭからプログラムやデータを読み取るＣＤ−ＲＯＭドライブ２０５と、銀行のキャッシュカードや信販会社のクレジットカード等のカードからデータを読み取るカードリーダ２０６と、を備えている。
【００２６】
また、自動機１０１は、現金の受け取り，支払い等の現金処理を行う現金部２０７と、レシートの印刷を行うレシートプリンタ２０８と、ユーザからの入力のためのキーボード２０９と、取引画面の表示を行うＣＲＴ（Cathode Ray Tube），ＬＣＤ（Liquid Crystal Display）等のディスプレイ２１０と、スピーカを有し音声出力を行う音声出力部２１１と、専用回線を介して取引用ホスト１０２との通信を行う専用回線インターフェース（Ｉ／Ｆ）２１２と、インターネットを介してＷｅｂサーバ１０３との通信を行うインターネット回線Ｉ／Ｆ２１３と、これら各部を接続するバス２１４と、を備えている。
【００２７】
ＲＯＭ２０１，ＨＤＤ２０２は、ブートプログラム，制御プログラム，取引画面データ等を記憶する。ＲＯＭ２０１，ＨＤＤ２０２の種類は特に限定されず、また、ＲＯＭ２０１，ＨＤＤ２０２に代えて他の記録媒体を用いるようにしてもよい。ＣＰＵ２０３は、ＲＯＭ２０１，ＨＤＤ２０２に記憶されたプログラム，取引画面データに基づいて、ディスプレイ２１０の取引画面表示等を制御する。ＲＡＭ２０４は、ＣＰＵ２０３の作業領域等として用いられる。ＣＤ−ＲＯＭドライブ２０５は、たとえば、システム立ち上げ時、ＣＤ−ＲＯＭからＨＤＤ２０２に制御プログラムをインストールするときに用いられる。ＣＤ−ＲＯＭドライブ２０５に代えてＤＶＤドライブその他の可搬の記録媒体を駆動する装置を用いるようにしてもよい。
【００２８】
カードリーダ２０６は、銀行のキャッシュカードや信販会社のクレジットカード等のカードから情報を読み取り、ＣＰＵ２０３に転送する。現金部２０７は、現金の受け取り，支払い等の現金処理を行う。レシートプリンタ２０８は、レシートの印刷を行う。キーボード２０９は、ユーザからの入力をＣＰＵ２０３に転送する。ディスプレイ２１０は、取引画面の表示等、各種表示を行う。音声出力部２１１は、音声出力を行う。専用回線Ｉ／Ｆ２１２は、専用回線を介して取引用ホスト１０２との通信を行う。
【００２９】
インターネット回線Ｉ／Ｆ２１３は、インターネットを介してＷｅｂサーバ１０３との通信を行う。ここで、専用回線Ｉ／Ｆ２１２に代えて、公衆回線を介して取引用ホスト１０２との通信を行う公衆回線Ｉ／Ｆを用いるようにしてもよい。さらに、この公衆回線Ｉ／Ｆによってインターネットに接続してＷｅｂサーバ１０３との通信を行うようにしてもよい。すなわち、取引用ホスト１０２との通信およびＷｅｂサーバ１０３との通信を、物理的に一つの通信インターフェースによって行うようにしてもよい。
【００３０】
図３は、図１に示した自動機１０１の概略機能構成を示す図である。自動機１０１は、取引画面データを所定の通信回線を介してＷｅｂサーバ１０３から取得する取引画面データ取得部３０１と、取引画面データ取得部３０１が取得した取引画面データを記憶する記憶部３０２と、取引を制御し、記憶部３０２に記憶された取引画面データによって適宜取引画面を切り替えて表示する取引制御部３０３と、を備えている。取引画面データは、ＨＴＭＬ（Hyper Text Markup Language）をベースに記述されており、Ｗｅｂサーバ１０３や他のパーソナルコンピュータ等において、多機能で使い勝手のよい汎用のＨＴＭＬ作成ツールで作成される。
【００３１】
取引画面データ取得部３０１は、タイマ３０５を有しており、たとえば所定時刻にインターネット回線Ｉ／Ｆ２１３を介して取引画面データの取得を行う。取引画面データの取得の際の通信プロトコルは、ＦＴＰ（File Transfer Protocol）を用いてもＨＴＴＰ（Hyper Text Transfer Protocol）を用いてもよいが、ＨＴＴＰを用いることによって、ファイル形式に関わらず取引画面データを取得することができる。
【００３２】
記憶部３０２は、取引画面データ取得部３０１が取得した取引画面データをＨＤＤ２０２，ＲＡＭ２０４等の記録媒体に記憶する。取引制御部３０３は、取引時、取引用ホスト１０２またはＷｅｂサーバ１０３との通信を行う。また、ＨＴＭＬで記述された取引画面データによる画面表示を行うためのＨＴＭＬ画面表示部３０４を有しており、適宜、記憶部３０２に記憶された取引画面データを入力してディスプレイ２１０への取引画面表示を行う。
【００３３】
さて、これまで、自動機１０１の機能構成について説明したが、図３に示した自動機１０１の各構成要素は機能概念的なものであり、必ずしも物理的に図示したように構成されていなくてもよい。たとえば、自動機１０１が備える処理機能のうち全部または一部を、ＣＰＵ２０３およびこのＣＰＵ２０３にて解釈実行されるプログラムによって実現することができる。すなわち、ＲＯＭ２０１，ＨＤＤ２０２には、ＯＳ（Operating System）等と協働してＣＰＵ２０３に命令を与え、ＣＰＵ２０３に各種処理を行わせるコンピュータプログラムが格納されている。そして、ＣＰＵ２０３は、このプログラムに従って各種処理を行う。また、自動機１０１が備える処理機能のうち全部または一部を、ワイヤードロジックによるハードウェアとして実現することも可能である。
【００３４】
以上の構成において、実施の形態１の動作について図面を参照して説明する。図４は、実施の形態１にかかる自動機１０１の取引画面データダウンロード処理の流れを示すフローチャートである。この取引画面データダウンロード処理においては、まず、取引画面データ取得部３０１が、予め設定されたダウンロード時刻か否かを判定する（Ｓ１０１）。予め設定されたダウンロード時刻でない場合は、処理を終了し、通常の運用（取引）処理に移行する。一方、予め設定されたダウンロード時刻である場合は、自装置が運用（取引）中であるか否かを判定する（Ｓ１０２）。
【００３５】
自装置が運用中である場合は、処理を終了し、通常の運用処理に移行する。一方、自装置が運用中でない場合は、Ｗｅｂサーバ１０３への接続を試み、Ｗｅｂサーバ１０３との接続が成功したか否かを判定する（Ｓ１０３）。Ｗｅｂサーバ１０３との接続に失敗した場合は、レシートプリンタ２０８によってダウンロード失敗を通知する印字を行い、処理を終了し、通常の運用処理に移行する。一方、Ｗｅｂサーバ１０３との接続に成功した場合は、Ｗｅｂサーバ１０３に取引画面データ（ファイル）があるか否かを判定する（Ｓ１０４）。取引画面データがない場合は、処理を終了し、通常の運用処理に移行する。
【００３６】
一方、取引画面データがある場合は、取引画面データがある限り、記憶部３０２への取引画面データのダウンロードを繰り返し（Ｓ１０５）、全ての取引画面データがダウンロードされたあと、処理を終了し、通常の運用処理に移行する。ここで、予め設定された時刻以外にも、たとえば、新たに設定または更新するための取引画面データがある場合にＷｅｂサーバ１０３から送信要求を送信するようにし、取引画面データ取得部３０１が、この送信要求を受信したときにステップＳ１０２から取引画面データダウンロード処理を実行するようにしてもよい。
【００３７】
図５は、実施の形態１にかかる自動機１０１の取引画面データダウンロード処理を説明するための図である。この取引画面データダウンロード処理において、取引画面データ取得部３０１は、Ｗｅｂサーバ１０３が保持している各取引画面データ（ファイル）の作成日付およびサイズと自動機１０１の記憶部３０２に既にダウンロードされている各取引画面データの作成日付およびサイズとの比較を行い、作成日付またはサイズが異なるもののみダウンロードする。なお、比較する情報は、作成日付，サイズに限られず、たとえば、各取引画面データにシリアル番号を付加し、このシリアル番号を比較するようにしてもよい。
【００３８】
図の例で、取引画面データＡについては、Ｗｅｂサーバ１０３が保持しているものの作成日付およびサイズと記憶部３０２に記憶されているものの作成日付およびサイズとが一致するので、ダウンロード処理は行わない。取引画面データＢについては、Ｗｅｂサーバ１０３側で更新されており、Ｗｅｂサーバ１０３が保持しているものの作成日付およびサイズと記憶部３０２に記憶されているものの作成日付およびサイズとが異なるので、ダウンロード処理を行い、取引画面データＢを更新する。
【００３９】
取引画面データＣについては、Ｗｅｂサーバ１０３側で新規に作成されており、記憶部３０２に比較対象となるコンテンツが記憶されていいないので、ダウンロード処理を行い、取引画面データＣを新たに設定する。ダウンロード処理が終了すると、Ｗｅｂサーバ１０３に格納されている各取引画面データと記憶部３０２に格納されている各取引画面データとが同じものとなる。
【００４０】
図６は、実施の形態１にかかる自動機１０１の取引画面データダウンロード処理の日時設定方法を説明するための図である。取引画面データダウンロード処理を行う日時の設定は、まず、取引画面データ取得部３０１が図（ａ）に示すような画面を表示し、保守員からのダウンロード時刻（取引画面データダウンロード処理を行う時刻）の入力を待つ。キーボード２０９を介して保守員からのダウンロード時刻の入力があると、つぎに、図（ｂ）に示すような画面を表示し、取引画面データダウンロード処理を行う日付が入力されるのを待つ。
【００４１】
ここでは、たとえば、１回のみのダウンロード，毎日，週単位，月単位等の指定を行うことができる。この場合、週単位のときはいずれかの曜日を指定し、月単位のときは月と日付を指定する。このダウンロード時刻および日付はいつにしてもよいが、休日や深夜等、自動機１０１の稼働率が低いときに設定する。これにより、取引画面データダウンロード処理によって取引処理が妨げられることを低減することができる。設定された取引画面データダウンロード処理を行う日時はＨＤＤ２０２に記憶され、この日時に取引画面データダウンロード処理が行われる。取引制御部３０３は、このようにしてダウンロードされた取引画面データに基づいて取引画面の表示を行う。
【００４２】
ここで、取引画面データが、文字データ等の小さいデータサイズの第１のデータ（たとえば１００キロバイト以下程度の情報であり、小サイズの図を含む場合もある。以下、文字情報と呼ぶ。）と、画像データ，動画データ等の大きいデータサイズの第２のデータ（たとえば１００キロバイト以上程度の情報であり、文字を含む場合もある。以下、画面コンテンツと呼ぶ）と、に区分されており、画面コンテンツについては前述したような取引画面データダウンロード処理を行い、文字情報については取引のたびにダウンロードするようにしてもよい。
【００４３】
以下、取引時に通信回線を介して文字情報をダウンロードする場合の取引画面表示処理について説明する。図７は、実施の形態１にかかる自動機１０１の取引画面表示処理の流れを示すフローチャートである。取引画面表示処理において、取引制御部３０３は、まず、表示すべき取引画面のための取引画面データ中に画面コンテンツが含まれるか否かを判定する（Ｓ２０１）。表示すべき取引画面のための取引画面データ中に画面コンテンツが含まれる場合は、記憶部３０２から（ＨＤＤ２０２またはＣＤ−ＲＯＭから）画面コンテンツを読み込む（Ｓ２０４）。
【００４４】
つぎに、表示すべき取引画面のための取引画面データ中に文字情報が含まれるか否かを判定する（Ｓ２０２）。表示すべき取引画面のための取引画面データ中に文字情報が含まれる場合は、取引画面取得部３０１が、Ｗｅｂサーバ１０３との接続を行い、その文字情報をダウンロードする（Ｓ２０５）。取引制御部３０３は、必要な画面コンテンツ，文字情報がそろうと、ディスプレイ２１０に取引画面を表示する（Ｓ２０３）。
【００４５】
図８は、実施の形態１にかかる自動機１０１の取引画面データの構成を示す図である。取引画面データは、画面コンテンツおよび／または少なくとも一つの文字情報から構成される。たとえば、画面番号１の取引画面データは、画面コンテンツＡと文字情報１，文字情報２，文字情報３および文字情報４とからなり、画面番号２の取引画面データは、画面コンテンツＢと文字情報１および文字情報３とからなり、画面番号３の取引画面データは、文字情報５および文字情報６からなり、画面番号４の取引画面データは、画面コンテンツＣからなる。
【００４６】
図９は、実施の形態１にかかる自動機１０１の取引画面表示方法を説明するための図である。たとえば、画面番号４の取引画面（処理待ち時の画面）を表示する場合は、予めダウンロードしておいた画面コンテンツＣ（１５０ｋバイト程度の画像）をＨＤＤ２０２から読み出して表示する。ＣＤ−ＲＯＭから画面コンテンツＣを読み出すようにしてもよい。画面番号４の取引画面データには文字情報が含まれないため、取引時のダウンロードは行わない。
【００４７】
図１０は、実施の形態１にかかる他の自動機１０１の取引画面表示方法を説明するための図である。たとえば、画面番号１の取引画面（引出額選択時の画面）を表示する場合は、予めダウンロードしておいた画面コンテンツＡ（２．５Ｍバイト程度の動画）をＨＤＤ２０２から読み出して表示する。ＣＤ−ＲＯＭから画面コンテンツＡを読み出すようにしてもよい。また、Ｗｅｂサーバ１０３から文字情報１〜文字情報４のダウンロードを行って表示する。
【００４８】
ここで、取引画面データを、変更頻度の高いデータ（変動情報）と変更頻度の低いデータ（固定情報）とに分け、変動情報については取引時にダウンロードし、固定情報については予めダウンロードしておくようにしてもよい。図１０の例では、利息の情報が変動情報となり、取引時にダウンロードされ、利息以外の情報が固定情報となり、ＨＤＤ２０２から読み取られる。
【００４９】
銀行，クレジット取引以外の場合、たとえば、電子商取引（ショッピング）の場合は、購入や支払いの情報が文字情報や変動情報となり、商品の写真等が画面コンテンツや固定情報となる。また、旅館やホテルの予約の場合は、空室や料金の情報が文字情報や変動情報となり、建物や部屋の写真や地図等が画面コンテンツや固定情報となる。また、映画の無料チケット提供の場合は、上映館名，上映時間，料金等が文字情報や変動情報となり、映画宣伝画像等が画面コンテンツや固定情報となる。
【００５０】
以上説明したように、実施の形態１によれば、取引画面データ取得部３０１が、通信回線を介して取引画面データを取得し、記憶部３０２が、取引画面データ取得部３０１が取得した取引画面データを記憶する。これにより、取引画面データの更新を、通信回線を介して迅速またはリアルタイムに行うことができ、また、更新のたびに毎回、可搬の記録媒体を用意し、保守員が自動機１台１台をまわってインストールする必要がないため、適切な取引画面の表示を行い、手間をはぶき、コストを低減することができるという効果を奏する。
【００５１】
また、Ｗｅｂサーバ１０３が、自動機１０１が設置されている場所（支店），自動機１０１または顧客ごとに、送信する取引画面データを切り替えるようにしてもよい。これにより、自動機１０１が設置されている場所（支店），自動機１０１または顧客ごとの取引画面の差別化を行うことができ、それぞれに対応した木目細かいサービスを行うことができる。たとえば、設置場所周辺のイベント情報等の地域情報の表示を行ったり、顧客の口座残高等の個人情報に応じた宣伝広告の表示を行ったりすることができる。
【００５２】
（実施の形態２）
本発明の実施の形態２は、サーバ装置と複数の自動機とを通信接続して自動機システムを構成し、サーバ装置が自動機システム外から所定の通信回線を介して取引画面データを取得し、各自動機に送信するようにしたものである。以下、まず実施の形態２の構成について説明する。図１１は、本発明の実施の形態２にかかる自動機システムの概略構成を示す図である。この自動機システムは、ＬＡＮサーバ４０２と複数の自動機４０４をＬＡＮ接続したものである。ＬＡＮサーバ４０２は、専用回線または公衆回線を介してＷｅｂサーバ１０３との通信を行う。また、図１に示した取引用ホスト１０２との通信を行うようにしてもよい。
【００５３】
ＬＡＮサーバ４０２とＷｅｂサーバ１０３との通信は、ダイアルアップによってリモートアクセスして行うようにしてもよいし、インターネット４０１を経由するものであってもよい。ＬＡＮサーバ４０２の構成は、一般のサーバ用のパーソナルコンピュータやワークステーションと同様のものであってもよいし、自動機と一体になっているものであってもよい。すなわち、実施の形態１の自動機１０１の構成に後述する取引画面データ送信部７０３を加えたものであってもよい。ＬＡＮサーバ４０２は、定期的または任意のタイミングで、取引用ホスト１０２またはＷｅｂサーバ１０３から取引画面データを取得し、取得した取引画面データを各自動機４０４に送信する。各自動機４０４は、ＬＡＮ４０３を介し、ＬＡＮサーバ４０２からの取引画面データを受信する。
【００５４】
図１２は、図１１に示したＬＡＮサーバ４０２の概略ハードウェア構成を示す図である。ＬＡＮサーバ４０２は、ブートプログラム等を記憶するＲＯＭ５０１と、ＬＡＮサーバ４０２各部を制御する制御プログラム，取引画面データ等を記憶するＨＤＤ５０２と、ＲＯＭ５０１，ＨＤＤ５０２に記憶されたプログラムに基づいてＬＡＮサーバ４０２各部を制御するＣＰＵ５０３と、ＣＰＵ５０３の作業領域等として用いられるＲＡＭ５０４と、ＣＤ−ＲＯＭからプログラムやデータを読み取るＣＤ−ＲＯＭドライブ５０５と、ユーザからの入力のためのキーボード５０６と、表示を行うＣＲＴ，ＬＣＤ等のディスプレイ５０７と、ＬＡＮ４０３を介して自動機４０４との通信を行うＬＡＮ−Ｉ／Ｆ５０８と、インターネットを介してＷｅｂサーバ１０３との通信を行うインターネット回線Ｉ／Ｆ５０９と、これら各部を接続するバス５１０と、を備えている。
【００５５】
ＲＯＭ５０１，ＨＤＤ５０２は、ブートプログラム，制御プログラム，取引画面データ等を記憶する。ＲＯＭ５０１，ＨＤＤ５０２の種類は特に限定されず、また、ＲＯＭ５０１，ＨＤＤ５０２に代えて他の記録媒体を用いるようにしてもよい。ＣＰＵ５０３は、ＲＯＭ５０１，ＨＤＤ５０２に記憶されたプログラムに基づいてＬＡＮサーバ４０２各部を制御する。ＲＡＭ５０４は、ＣＰＵ５０３の作業領域等として用いられる。
【００５６】
ＣＤ−ＲＯＭドライブ５０５は、たとえば、システム立ち上げ時、ＣＤ−ＲＯＭからＨＤＤ５０２に制御プログラムをインストールするときに用いられる。ＣＤ−ＲＯＭドライブ５０５に代えてＤＶＤドライブその他の可搬の記録媒体を駆動する装置を用いるようにしてもよい。キーボード５０６は、ユーザからの入力をＣＰＵ５０３に転送する。ディスプレイ５０７は、各種表示を行う。ＬＡＮ−Ｉ／Ｆ５０８は、ＬＡＮ４０３を介して各自動機４０４との通信を行う。インターネット回線Ｉ／Ｆ５０９は、インターネット４０１を介してＷｅｂサーバ１０３との通信を行う。
【００５７】
図１３は、図１１に示した自動機４０４の概略ハードウェア構成を示す図である。なお、基本的な構成は、実施の形態１の自動機１０１と同様につき、図２と同一の部分については同一の符号を付してその説明を省略し、異なる部分についてのみ説明する。この自動機４０４は、実施の形態１の自動機１０１のインターネット回線Ｉ／Ｆ２１３に代えて、ＬＡＮ４０３に接続するためのＬＡＮ−Ｉ／Ｆ６０１を備えている。ＬＡＮ−Ｉ／Ｆ６０１は、ＬＡＮ４０３を介してＬＡＮサーバ４０２との通信を行う。
【００５８】
図１４は、図１１に示したＬＡＮサーバ４０２の概略機能構成を示す図である。ＬＡＮサーバ４０２は、取引画面データを所定の通信回線を介してＷｅｂサーバ１０３から取得するサーバ取引画面データ取得部７０１と、サーバ取引画面データ取得部７０１が取得した取引画面データを記憶するサーバ記憶部７０２と、サーバ記憶部７０２に記憶された取引画面データを各自動機４０４に送信する取引データ送信部７０３と、を備えている。
【００５９】
取引画面データは、実施の形態１の場合と同様に、ＨＴＭＬをベースに記述されており、Ｗｅｂサーバ１０３や他のパーソナルコンピュータ等において、多機能で使い勝手のよい汎用のＨＴＭＬ作成ツールで作成される。サーバ取引画面データ取得部７０１は、タイマ７０４を有しており、たとえば所定時刻にインターネット回線Ｉ／Ｆ５０９を介して取引画面データの取得を行う。取引画面データの取得の際の通信プロトコルは、ＦＴＰを用いてもＨＴＴＰを用いてもよいが、ＨＴＴＰによって取引画面データを用いることによって、ファイル形式に関わらず取引画面データを取得することができる。
【００６０】
サーバ記憶部７０２は、取引画面データ取得部７０１が取得した取引画面データをＨＤＤ５０２，ＲＡＭ５０４等の記録媒体に記憶する。取引画面データ送信部７０３は、サーバ記憶部７０２に記憶された取引画面データをＬＡＮ４０３を介して各自動機４０４に出力する。
【００６１】
ここで、全ての取引画面データをＷｅｂサーバ１０３から取得して各自動機４０４に送信するようにしてもよいし、文字情報または変動情報についてはＷｅｂサーバ１０３から取得し、画面コンテンツまたは固定情報についてはＣＤ−ＲＯＭから読み取り、これらの情報を各自動機４０４に送信するようにしてもよい。
【００６２】
図１５は、図１１に示した自動機４０４の概略機能構成を示す図である。なお、基本的な構成は実施の形態１の自動機１０１と同様につき、図３と同一の部分については同一の符号を付してその説明を省略し、異なる部分についてのみ説明する。この自動機４０４は、実施の形態１の自動機１０１の取引画面データ取得部３０１に代えて、ＬＡＮ４０３を介してＬＡＮサーバ４０２から取引画面データを取得する取引画面データ取得部８０１を備えている。取引画面データ取得部８０１は、取引画面データの送信元が異なる以外は実施の形態１の取引画面データ取得部３０１と同様に動作する。
【００６３】
さて、これまで、ＬＡＮサーバ４０２および自動機４０４の機能構成について説明したが、図１４，図１５に示したＬＡＮサーバ４０２，自動機４０４の各構成要素は機能概念的なものであり、必ずしも物理的に図示したように構成されていなくてもよい。たとえば、ＬＡＮサーバ４０２，自動機４０４が備える処理機能のうち全部または一部を、ＣＰＵ２０３，５０３およびこのＣＰＵ２０３，５０３にて解釈実行されるプログラムによって実現することができる。
【００６４】
すなわち、ＲＯＭ２０１，５０１，ＨＤＤ２０２，５０２には、ＯＳ（Operating System）等と協働してＣＰＵ２０３，５０３に命令を与え、ＣＰＵ２０３，５０３に各種処理を行わせるコンピュータプログラムが格納されている。そして、ＣＰＵ２０３，５０３は、このプログラムに従って各種処理を行う。また、ＬＡＮサーバ４０２，自動機４０４が備える処理機能のうち全部または一部を、ワイヤードロジックによるハードウェアとして実現することも可能である。
【００６５】
以上の構成において、実施の形態２の動作について図面を参照して説明する。実施の形態２の動作において、自動機４０４は、取引画面データの送信元がＬＡＮサーバ４０２となること以外は実施の形態１と同様の取引画面データダウンロード処理および取引画面表示処理を行う。また、ＬＡＮサーバ４０２は、実施の形態１と同様の取引画面データダウンロード処理（ＬＡＮサーバ４０２への取引画面データダウンロード処理）を行う。また、ＬＡＮサーバ４０２は、自動機４０４からの要求があったときに取引画面データを送信するようにしてもよいし、ＬＡＮサーバ４０２からプッシュ型で取引画面データを送信するようにしてもよい。
【００６６】
図１６は、実施の形態２にかかるＬＡＮサーバ４０２から自動機４０４への取引画面データダウンロード処理（プッシュ型）の流れを示すフローチャートである。この取引画面データダウンロード処理（プッシュ型）において、ＬＡＮサーバ４０２の取引画面データ送信部７０３は、Ｗｅｂサーバ１０３からの取引画面データのダウンロードを行ったあと、ｎ号機（ｎは変数であって初期値は１）の自動機４０４に最新の（ＬＡＮサーバ４０２に記憶されている取引画面データと同一の）取引画面データがダウンロードされているか否かを判定する（Ｓ３０１）。ｎ号機の自動機４０４に最新の取引画面データがダウンロードされていない場合は、ｎ号機の自動機４０４が運用中（取引業務中）であるか否かを判定する（Ｓ３０２）。
【００６７】
ｎ号機の自動機４０４が運用中でないとき（アイドル中であるとき）、ｎ号機の自動機４０４に取引画面データを送信し、ｎ号機の自動機４０４に取引画面データをダウンロードする（Ｓ３０３）。そして、変数ｎに１を加算して（ただし、ｎが最後の自動機４０４の番号Ｎである場合は１に戻る。）ステップＳ３０１に戻る。ステップＳ３０１においてｎ号機の自動機４０４に最新の取引画面データがダウンロードされている場合、およびステップＳ３０２においてｎ号機の自動機４０４が運用中である場合は、ｎ号機の自動機４０４へのダウンロード処理は行わずにステップＳ３０４に進む。そして、自動機システム内の全ての自動機４０４のダウンロードが終了するまで上記処理を繰り返す。なお、１号機，２号機等の自動機４０４の番号は任意に設定することができる。
【００６８】
以上説明したように、実施の形態２によれば、ＬＡＮサーバ４０２のサーバ取引画面データ取得部７０１が、インターネット４０１を介して取引画面データを取得し、取引画面データ送信部７０３が、サーバ取引画面データ取得部７０１が取得した取引画面データを複数の自動機４０４に送信し、自動機４０４の取引画面データ取得部８０１が、取引画面データ送信部７０３からの取引画面データを取得し、記憶部３０２が、取引画面データ取得部８０１が取得した取引画面データを記憶する。これにより、取引画面データの更新を、インターネット４０１を介して迅速またはリアルタイムに行うことができ、また、更新のたびに毎回、可搬の記録媒体を用意し、保守員が自動機１台１台をまわってインストールする必要がないため、適切な取引画面の表示を行い、手間をはぶき、コストを低減することができる。
【００６９】
また、複数の自動機４０４とＬＡＮサーバ４０２がＬＡＮ接続され、ＬＡＮサーバ４０２のみがインターネット４０１に接続すればよいため、自動機１台１台がそれぞれインターネット４０１に接続して取引画面データを取得するよりも効率よく取引画面データを取得することができ、通信コストを低減することができる。
【００７０】
なお、実施の形態１，実施の形態２にかかる取引画面データ更新方法を実現するコンピュータプログラムを、フロッピーディスク等の磁気ディスク、ＲＯＭ，ＥＰＲＯＭ，ＥＥＰＲＯＭ，フラッシュＲＯＭ等の半導体メモリ（カートリッジ，ＰＣカード等に内蔵されているものを含む）、ＣＤ−ＲＯＭ，ＤＶＤ等の光ディスク、ＭＯ等の光磁気ディスク、等の可搬の記録媒体に格納し、この記録媒体に記録されたプログラムを、自動機，サーバ装置に内蔵されるＲＯＭ，ＲＡＭ，ハードディスク等の固定用の記録媒体にインストールすることによって、その自動機，サーバ装置に前述した取引画面データ更新機能を具備させることもできる。
【００７１】
また、このプログラムを、ＬＡＮ，ＷＡＮ，インターネット等のネットワークを介して伝送し、伝送されたプログラムを自動機，サーバ装置の固定用の記録媒体にインストールするようにしてもよい。また、このプログラムは、必ずしも単一に構成されるものに限られず、複数のモジュールやライブラリとして分散構成されていてもよいし、ＯＳ等の別個のプログラムと協働してその機能を達成するものであってもよい。
【００７２】
【発明の効果】
以上説明したように、本発明の自動取引装置は、取得手段が、通信回線を介して取引画面データを取得し、記憶手段が、取得手段によって取得された取引画面データを記憶する。これにより、取引画面データの更新を、通信回線を介して迅速またはリアルタイムに行うことができ、また、更新のたびに毎回、可搬の記録媒体を用意し、保守員が自動取引装置１台１台をまわってインストールする必要がないため、適切な取引画面の表示を行い、手間をはぶき、コストを低減することができるという効果を奏する。
【００７３】
また、本発明の自動取引装置は、取得手段が、取引画面データの全部または一部を取引時以外の所定のタイミングで取得する。これにより、取引時に取引画面データの全部または一部のインストールを省略することができるため、取引時の処理時間を短縮することができ、スムーズな取引処理を実現することができるという効果を奏する。
【００７４】
また、本発明の自動取引装置は、取引画面データが、文字データ等の小さいデータサイズの第１のデータと画像データ，動画データ等の大きいデータサイズの第２のデータとに区分されており、取得手段が、第１のデータを取引時に取得し、第２のデータを取引時以外の所定のタイミングで取得するため、インストールに時間のかからない第１のデータについては、最新のものを用いつつ、インストールに時間のかかる第２のデータについては、予めインストールしておいて、スムーズな取引処理を実現することができるという効果を奏する。
【００７５】
また、本発明の自動取引装置は、取引画面データが、変更頻度の高い第１のデータと変更頻度の低い第２のデータとに区分されており、取得手段が、第１のデータを取引時に取得し、第２のデータを取引時以外の所定のタイミングで取得するため、第１のデータについては最新のものを用いつつ、第２のデータについては、予めインストールしておいて、スムーズな取引処理を実現することができるという効果を奏する。
【００７６】
また、本発明の自動取引装置は、取引画面データがＨＴＭＬで記述されており、ＨＴＭＬ画面表示手段が、ＨＴＭＬで記述された取引画面データによって取引画面を表示する。これにより、自動取引装置の機種や取引画面データ作成用装置の機種に関わらず、多機能で使い勝手のよい汎用のＨＴＭＬ作成ツールで取引画面データを作成することができるため、取引画面データの作成を容易化し、コストを低減することができるという効果を奏する。
【００７７】
また、本発明の自動取引装置は、取得手段が、インターネットを介して取引画面データを取得する。これにより、インターネットに接続可能なサーバ装置があればどこからでも取引画面のメンテナンス（取引画面データの設定，更新）を行うことができるため、容易に取引画面のメンテナンスを行うことができるという効果を奏する。
【００７８】
また、本発明の自動取引装置システムは、サーバ装置のサーバ取得手段が、通信回線を介して取引画面データを取得し、送信手段が、サーバ取得手段によって取得された取引画面データを複数の自動取引装置に送信し、自動取引装置の取得手段が、送信手段からの取引画面データを取得し、記憶手段が、取得手段によって取得された取引画面データを記憶する。これにより、取引画面データの更新を、通信回線を介して迅速またはリアルタイムに行うことができ、また、更新のたびに毎回、可搬の記録媒体を用意し、保守員が自動取引装置１台１台をまわってインストールする必要がないため、適切な取引画面の表示を行い、手間をはぶき、コストを低減することができるという効果を奏する。
【００７９】
また、本発明の取引画面データ更新プログラムを記録したコンピュータ読み取り可能な記録媒体は、取得工程で、取引画面データを所定の通信回線を介して取得し、更新工程で、取得工程で取得された取引画面データによって自動取引装置に記憶された取引画面データを更新する方法を、コンピュータに実行させるための取引画面データ更新プログラムを記録したことで、そのプログラムがコンピュータ読み取り可能となり、これにより、その方法の動作をコンピュータによって実現することが可能となるという効果を奏する。
【００８０】
また、本発明の取引画面データ更新プログラムを記録したコンピュータ読み取り可能な記録媒体は、サーバ取得工程で、取引画面データを所定の通信回線を介して取得し、送信工程で、サーバ取得工程で取得された取引画面データを複数の自動取引装置に送信し、取得工程で、送信工程で送信された取引画面データを取得し、更新工程で、取得工程で取得された取引画面データによって自動取引装置に記憶された取引画面データを更新する方法を、コンピュータに実行させるための取引画面データ更新プログラムを記録したことで、そのプログラムがコンピュータ読み取り可能となり、これにより、その方法の動作をコンピュータによって実現することが可能となるという効果を奏する。
【００８１】
また、本発明の取引画面データ更新プログラムは、取得手順で、取引画面データを所定の通信回線を介して取得し、更新手順で、取得手順で取得された取引画面データによって自動取引装置に記憶された取引画面データを更新する方法を、コンピュータに実行させるための取引画面データ更新プログラムであり、これにより、その方法の動作をコンピュータによって実現することが可能となるという効果を奏する。
【００８２】
また、本発明の取引画面データ更新プログラムは、サーバ取得手順で、取引画面データを所定の通信回線を介して取得し、送信手順で、サーバ取得手順で取得された取引画面データを複数の自動取引装置に送信し、取得手順で、送信手順で送信された取引画面データを取得し、更新手順で、取得手順で取得された取引画面データによって自動取引装置に記憶された取引画面データを更新する方法を、コンピュータに実行させるための取引画面データ更新プログラムであり、これにより、その方法の動作をコンピュータによって実現することが可能となるという効果を奏する。
【図面の簡単な説明】
【図１】本発明の実施の形態１にかかる取引システムの概略構成を示す図である。
【図２】図１に示した自動機の概略ハードウェア構成を示す図である。
【図３】図１に示した自動機の概略機能構成を示す図である。
【図４】実施の形態１にかかる自動機の取引画面データダウンロード処理の流れを示すフローチャートである。
【図５】実施の形態１にかかる自動機の取引画面データダウンロード処理を説明するための図である。
【図６】（ａ）（ｂ）は、実施の形態１にかかる自動機の取引画面データダウンロード処理の日時設定方法を説明するための図である。
【図７】実施の形態１にかかる自動機の取引画面表示処理の流れを示すフローチャートである。
【図８】実施の形態１にかかる自動機の取引画面データの構成を示す図である。
【図９】実施の形態１にかかる自動機の取引画面表示方法を説明するための図である。
【図１０】実施の形態１にかかる自動機の他の取引画面表示方法を説明するための図である。
【図１１】本発明の実施の形態２にかかる自動機システムの概略構成を示す図である。
【図１２】図１１に示したＬＡＮサーバの概略ハードウェア構成を示す図である。
【図１３】図１１に示した自動機の概略ハードウェア構成を示す図である。
【図１４】図１１に示したＬＡＮサーバの概略機能構成を示す図である。
【図１５】図１１に示した自動機の概略機能構成を示す図である。
【図１６】実施の形態２にかかるＬＡＮサーバから自動機への取引画面データダウンロード処理の流れを示すフローチャートである。
【符号の説明】
１０１，４０４  自動機
１０２  取引用ホスト（メインフレーム）
１０３  Ｗｅｂサーバ
２０１  ＲＯＭ
２０２  ハードディスク
２０３  ＣＰＵ
２０４  ＲＡＭ
２０５  ＣＤ−ＲＯＭドライブ
２０６  カードリーダ
２０７  現金部
２０８  レシートプリンタ
２０９  キーボード
２１０  ディスプレイ
２１１  音声出力部
２１２  専用回線Ｉ／Ｆ
２１３  インターネット回線Ｉ／Ｆ
２１４  バス
３０１，８０１  取引画面データ取得部
３０２  記憶部
３０３  取引制御部
３０４  ＨＴＭＬ画面表示部
３０５  タイマ
４０２  ＬＡＮサーバ
７０１  サーバ取引画面データ取得部
７０２  サーバ記憶部
７０３  取引画面データ送信部
【図１】
0003946456.tif 000002
【図２】
0003946456.tif 000003
【図３】
0003946456.tif 000004
【図４】
0003946456.tif 000005
【図５】
0003946456.tif 000006
【図６】
0003946456.tif 000007
【図７】
0003946456.tif 000008
【図８】
0003946456.tif 000009
【図９】
0003946456.tif 000010
【図１０】
0003946456.tif 000011
【図１１】
0003946456.tif 000012
【図１２】
0003946456.tif 000013
【図１３】
0003946456.tif 000014
【図１４】
0003946456.tif 000015
【図１５】
0003946456.tif 000016
【図１６】
0003946456.tif 000017